(57)【特許請求の範囲】
【請求項１】
回転手段により回転駆動されるハブの周縁が円以外の回転対称の形状に形成され、隣接する突出端同士の間のハブの周縁に羽根が１枚づつ取着されて構成されるプロペラファンであって、ハブが回転する側に位置する羽根の取着部端部（以下、羽根取着部前端と云う）とその反対側に位置する羽根の取着部端部（以下、羽根取着部後端と云う）との間に、ハブ中心部からハブ周縁に向かうリブがそれぞれ２枚配設され、羽根取着部前端とこの前端側に位置するリブとの間の寸法が、羽根取着部後端とこの後端側に位置するリブとの間の寸法より小さく設けられたことを特徴とするプロペラファン。
【請求項２】
ハブの周縁が曲率の異なる円弧状曲線を連設して形成され、羽根が曲率の小さくて長いハブの周縁に取着されたことを特徴とする請求項１記載のプロペラファン。
【請求項３】
羽根がハブの隣接する突出端同士の間の周縁の回転側に片寄せて取着されたことを特徴とする請求項１または２記載のプロペラファン。
【発明の詳細な説明】
【０００１】
【発明の属する技術分野】
本発明は、空調機などに組み込まれて送風用途に使用されるプロペラファンに関するものである。
【０００２】
【従来の技術】
この種のプロペラファンとして、例えば図９に示したように、図示しない電動モータの回転軸を差し込んで固定するための取付穴６が設けられたハブ２の中心部から、羽根１の後端部が取り付けられたハブ２の周縁３に至る補強用のリブ７を配設して、軽量化を図るためにファンをポリプロピレンなどの合成樹脂で製造しても羽根１の取着部後端１Ｂ近傍で割れが発生しないように工夫したプロペラファンＰＦが、実開平５−６９３９９号公報に提案されている。
【０００３】
【発明が解決しようとする課題】
しかし、上記従来のプロペラファンにおいては、羽根の取着部後端部分でのハブの内側への湾曲は防止できたが、遠心力から受ける前端側外側への湾曲を防止することができず、羽根とハブとが振動して羽根の取着部前端部に亀裂を生じたり、音が出易いと云った問題点があり、これが解決すべき課題となっていた。
【０００４】
【課題を解決するための手段】
本発明は上記従来技術の課題を解決するため、回転手段により回転駆動されるハブの周縁を円以外の回転対称の形状に形成し、隣接する突出端同士の間のハブの周縁に羽根を１枚づつ取着して構成するプロペラファンにおいて、ハブが回転する側に位置する羽根の取着部端部（以下、羽根取着部前端と云う）とその反対側に位置する羽根の取着部端部（以下、羽根取着部後端と云う）との間に、ハブ中心部からハブ周縁に向かうリブをそれぞれ２枚配設し、羽根取着部前端とこの前端側に位置するリブとの間の寸法が、羽根取着部後端とこの後端側に位置するリブとの間の寸法より小さく設けるようにした第１の構成のプロペラファンと、
【０００５】
前記第１の構成のプロペラファンにおいて、ハブの周縁を曲率の異なる円弧状曲線を連設して形成し、羽根を曲率の小さくて長いハブの周縁に取着するようにした第２の構成のプロペラファンと、
【０００６】
前記第１または第２の構成のプロペラファンにおいて、羽根をハブの隣接する突出端同士の間の周縁の回転側に片寄せて取着するようにした第３の構成のプロペラファンと
を提供するものである。
【０００７】
【発明の実施の形態】
以下、本発明の一実施形態を図１〜図８に基づいて説明する。なお、理解を容易にするため、これらの図においても前記図９において説明した部分と同様の機能を有する部分には、同一の符号を付した。
【０００８】
本発明のプロペラファンＰＦは、例えばポリプロピレンやアクリルニトリル−スチレン共重合体などのプラスチックなどによって一体成形により形成される。羽根１が取着されるハブ２の周縁３は、曲率の小さい円弧状周縁４と、曲率の大きい円弧状周縁５とが交互に連設されて、複数の突出端２Ａが丸みを持った略三角形の回転対称の形状に形成されている。
【０００９】
そして、ハブ２の隣接する突出端２Ａ・２Ａ同士の間の曲率が小さくて長い円弧状周縁４の部分に羽根１が、ハブ２が回転する側に片寄せて取り付けられている。
【００１０】
また、室外機１００の電動モータ２０の回転軸２１を差し込んで固定する取付穴６が形成されているハブ２の中心部から、曲率が小さくて長い、羽根１が取着されている円弧状周縁４に至る補強用のリブ７Ａと７Ｂとが配設されている。
【００１１】
リブ７Ａはハブ２が回転する側に位置する羽根１のハブ２への取着部前端１Ａに片寄せ、リブ７Ｂは取着部前端１Ａの反対側に位置する羽根１のハブ２への取着部後端１Ｂに片寄せ、且つ、羽根１の取着部前端１Ａとリブ７Ａの取着端部との間の寸法Ｌ１は、羽根１の取着部後端１Ｂとリブ７Ｂの取着端部との間の寸法Ｌ２より小さくなるように取り付けられている（図２参照）。
【００１２】
本発明のプロペラファンＰＦは上記のように構成されているので、電動モータ２０によって矢印方向に回転されたときには、送風の反作用として羽根１が受ける力により、リブ７Ａ、７Ｂが設けられていないとハブ２の周縁３は一点鎖線で示したように波打つことになるが（図２参照）、湾曲量が最大になる位置にリブ７Ａ、７Ｂが設けられているので、ハブ２の周縁３の湾曲が効果的に抑えられ、羽根１とハブ２との接続部分での亀裂の発生が効果的に防止できる。
【００１３】
また、略三角形に形成されたハブ２の突出端２Ａより回転する側に位置する部分では空気が圧縮されて高圧となり、その反対側は低圧となるので、図４に示すように羽根１の外周側を流れる空気の一部はハブ２寄りの内周側に流れる。
【００１４】
このため、羽根１の外周部からハブ２側に掛けて空気が平均化されて流れるようになり、外周部後端での空気の流速が低下し、これによって空気流が羽根１の外周部後端を離れるときの騒音発生が抑制される。
【００１５】
また、羽根１のハブ２寄りの内周部分にも一定の流速以上の空気の流れができており、且つ、羽根１が回転側の突出端２Ａに片寄せて取り付けられているので、空気の乱れた流れや、空気の吸入側への逆流もなくなり、これによってハブ２寄り内周部分での騒音の発生も防止される。
【００１６】
図５は、図３に示すような圧縮機２２、熱交換器２３、および図示しないベルマウス、パネルなどを備えた室外機１００に取り付けた状態のフロントパネル前方１ｍの位置で、本発明のプロペラファンＰＦと、ハブ２の周縁３を円筒形に形成した従来のプロペラファンＰＦとの騒音を測定して比較したものである。この比較図から判るように、本発明のプロペラファンＰＦによる騒音は、何れの風量においても従来のプロペラファンＰＦより１ｄＢ程度低くなっている。
【００１７】
また、騒音を比較した本発明のプロペラファンＰＦと従来のプロペラファンＰＦとのファンモータ消費電力比較を室外機１００に取り付けた状態で行い、測定結果を図６に示した。この比較図から判るように、本発明のプロペラファンＰＦによるファンモータ消費電力は、同風量の従来のプロペラファンＰＦの消費電力より、何れの風量においても少なくなっている。
【００１８】
これは、本発明のプロペラファンＰＦは、ハブ２の周縁３が略三角形の形に形成されて羽根１の面積が増加したことと、羽根１の外周部だけでなく、内周側でも有効な送風作用を行うために、低騒音化およびトータルの送風効率が向上したものである。
【００１９】
ところで、羽根１を取り付けるハブ２の周縁３の形状は、図７（ａ）に示したように突出端２Ａを尖らせた正三角形の状態に形成することもできる。また、図７（ｂ）に示したように、隣接する突出端２Ａ同士の間の周縁３、すなわち曲率の小さい円弧状周縁４が凹むようにハブ２を形成し、この部分に羽根１を取り付けるように構成することもできる。また、図７（ｃ）に示したように突出端２Ａと曲率の小さい円弧状周縁４との接続部が、片側では滑らかに接続し、他方では屈曲状態に接続するようにハブ２を形成しても良い。
【００２０】
さらに、図８（ａ）〜図８（ｄ）に示したように、突出端２Ａを４箇所に備えたハブ２を、突出端２Ａを３箇所に有する図７などに示した前記ハブ２と同様に、曲率の異なる円弧状周縁４と５とを接続して形成することもできる。
【００２１】
なお、ハブ２は周縁３の突出端２Ａを５箇所以上に形成し、隣接する突出端２Ａ同士の間の周縁３それぞれに羽根１を取り付けるようにすることもできるが、突出端２Ａの設置数が多いほど、突出端２Ａから回転側に位置する周縁３での空気を圧縮して高圧にする作用が乏しくなり、その反対側では低圧となる程度が小さくなって、騒音の低減効果、送風効率の向上効果が損なわれるので、突出端２Ａの数を増やし過ぎるのは好ましくない。
【００２２】
【発明の効果】
以上説明したように本発明によれば、ハブの変形がリブによって効果的に防止されるので、羽根とハブとの接続部分での亀裂の発生防止が図れると共に、騒音の低下が図れる。
【００２３】
特に、請求項３のプロペラファンによれば、羽根のハブ寄り内周部分でも空気の吸入側への逆流が防止できるので、騒音の一層の低減が図れる。
【図面の簡単な説明】
【図１】発明の一実施形態を示す説明図であり、（ａ）は前方から見た斜視図、（ｂ）は後方から見た斜視図である。
【図２】一実施形態の要部（ハブ）を真後ろから見た説明図である。
【図３】発明のプロペラファンを室外機に組み込んだ状態を示す説明図である。
【図４】空気の流れる状態を示す説明図である。
【図５】騒音を比較した説明図である。
【図６】ファンモータ消費電力を比較した説明図である。
【図７】真後ろから見たハブの形状を示した説明図である。
【図８】真後ろから見たハブの形状を示した説明図である。
【図９】従来技術の説明図である。
【符号の説明】
１  羽根
１Ａ  取着部前端
１Ｂ  取着部後端
２  ハブ
２Ａ  突出端
３  周縁
４  曲率の小さい円弧状周縁
５  曲率の大きい円弧状周縁
６  取付穴
７Ａ・７Ｂ  リブ
８  空気の流線
２０  電動モータ
２１  回転軸
２２  圧縮機
２３  熱交換器
ＰＦ  プロペラファン
１００  室外機
【図１】
0003806512.tif 000002
【図２】
0003806512.tif 000003
【図３】
0003806512.tif 000004
【図４】
0003806512.tif 000005
【図５】
0003806512.tif 000006
【図６】
0003806512.tif 000007
【図７】
0003806512.tif 000008
【図８】
0003806512.tif 000009
【図９】
0003806512.tif 000010